(57)【要約】【課題】  衝突等の衝撃力によって外れたり破損することがなく車室内の見栄えを損なわない自動車のサンバイザーに装着するポケットティッシュホルダーの提供。【解決手段】  柔軟な薄板からなる保持板の相対する縁に伸縮性を備えたバンドを用いて連結しリング状に形成したことを特徴とする。【選択図】  図１
2005075326.tif 000002
【特許請求の範囲】
【請求項１】
ポケットティッシュより大きな面を有する柔軟な薄板からなる保持板の任意の部位にティッシュペーパーを取り出す開口部を設け、当該保持板の相対する縁に伸縮性を備えたバンドを用いて連結しリング状に形成したことを特徴とするサンバイザー用ポケットティッシュホルダー。
【請求項２】
当該保持板を、開口部を設けた保持板と開口部を設けない保持板に分割し、各保持板をバンドを用いて連結しリング状に形成したことを特徴とする請求項１記載のサンバイザー用ポケットティッシュホルダー。
【発明の詳細な説明】
【発明の詳細な説明】
【技術分野】
【０００１】  本発明は自動車用サンバイザーに装着して使用するポケットティシュホルダーに関するものである。
【背景技術】
【０００２】  自動車用サンバイザーに装着して使用するポケットティッシュホルダーは、図６に示す如く、ポケットティッシュの包装フィルムカバーの開口部に差し込む挿入部とサンバイザーに挟み込む挟持部を設けた骨枠若しくは、板枠からなるものが知られている。（例えば、特許文献１参照）【０００３】
【特許文献１】  特開２００１−２３１７０８号公報（第１−２頁、第１，２図）
【発明が解決しようとする課題】
【０００４】  上記ポケットティッシュホルダーには次のような欠点があった。
イ．当該ホルダーはサンバイザーに挟み付けて保持するので、車に大きな衝撃力（衝突等）が加わると外れたり破損して搭乗者を傷付ける恐れがある。
ロ．ポケットティッシュの包装フィルムカバー開口部に当該ホルダーの挿入部を差し込み保持するので、サンバイザー使用時（遮光、若しくは、ティッシュペーパーを取り出すためサンバイザーを下げた状態）にポケットティッシュがむき出しとなり車室内の見栄えを損なう。
ハ．骨枠、若しくは、板枠からなる構造のためコスト高となる。
本発明は上記欠点を解決し、車室内の見栄えを損なわず安全で安価なポケットティッシュホルダーの提供を目的としたものである。
【課題を解決するための手段】
【０００５】  本発明は、ポケットティッシュより大きな面を有する柔軟な薄板からなる保持板の任意の部位にティッシュペーパーを取り出す開口部を設け、当該保持板の相対する縁に伸縮性を備えたバンドを用いて連結しリング状に形成したことを特徴とする。
【０００６】  若しくは、当該保持板を、開口部を設けた保持板と開口部を設けない保持板に分割し、各保持板にバンドを用いて連結しリング状に形成したことを特徴とする。
【０００７】  このような解決手段により、本発明はサンバイザーに巻き付けるように装着できるので車に衝撃力が加わっても外れることはなく、構造も簡単なため安価に提供できる。又、本発明がポケットティッシュを覆い隠すので車室内の見栄えを損なうこともない。
【発明を実施するための最良の形態】
【０００８】  本発明の実施形態を図１〜図５に基づいて説明する。【０００９】  図１は本発明の基本的な実施形態を示す斜視図であり、図２は本発明を自動車用サンバイザーに装着した状態を示すサンバイザー裏面（サンバイザー格納時車室内天井側から見た面）の正面図、図３は表面（サンバイザー格納時車室内床側から見た面）の状態を示す正面図である。【００１０】  ポケットティッシュ５は周知のように１０枚前後のティッシュペーパーを連続的に取り出せるよう折り畳み、それを包装フィルムで包み込んだものであり、ティッシュペーパーを取り出すには外包装フィルムの一方の面、長手方向中央に設けられたミシン目を開封し指で摘み出すことによって行う。【００１１】  本発明の保持板１は自動車用サンバイザー４にポケットティッシュ５を覆うように保持し、前述の開封部分からティッシュペーパーを指で摘み出せるよう開口部２を設けたものである。【００１２】  保持板１の大きさは、ポケットティッシュ５が直接視認できないよう覆い隠せる幅（サンバイザー４のＹ方向）と長さ（サンバイザー４のＸ方向）があり、サンバイザー４格納時搭乗者の目に触れないようサンバイザー裏面４Ｂ側に配置するものであるが、本発明ではサンバイザーの表面４Ａの一部も覆えるよう保持板１の長さを延長したものである。【００１３】  こうするとサンバイザーの裏面４Ｂにはポケットティッシュ５を、表面４Ａには通行券、キャッシュカード、メモ紙等（以下カード６と称す）を挟み込むことができ本発明の付加価値を高めることができる。【００１４】  又、サンバイザーの表面４Ａを覆う保持板１に社名、宣伝文、連絡先等を印刷するか記載したラベルを貼り付けると更に本発明の付加価値を増すことができる。【００１５】  保持板１に設ける開口部２はティッシュペーパーを指で摘まんで取り出すことができるのであれば大きさ、形状、開口位置に拘るものではない。【００１６】  保持板１は、ティッシュペーパーの増減に応じて変形できるよう、又、サンバイザー４の下辺４Ｃに沿ってＵ字形に変形してサンバイザー両面４Ａ、４Ｂを覆うことができるよう柔軟性を備えた薄板を用いる。例えば、プラスチックフィルム、紙、紙にプラスチックをコーティングしたもの等を選択すると良い。【００１７】  次に、バンド３は保持板１をサンバイザー４の任意の部位に保持させ、同時に、保持板１をサンバイザーの両面４Ａ、４Ｂに密接させる働きを担うものである。【００１８】  従って、バンド３は伸縮性を備えた素材、例えば、ゴム、織ゴム、伸縮性を有する面ファスナー等を用いると良い。【００１９】  そして、バンド３の両端を保持板１の相対する縁に固着させる。その際、バンド３は一本でも複数本に分けて取り付けても良い。これにより本発明は保持板１とバンド３によって全体がリング状に形成される。【００２０】  リングの大きさはバンド３の伸縮力が有効に作用するよう、使用するサンバイザー４の縦方向Ｙの外周より小さくする。【００２１】  このようにバンド３は保持板１をサンバイザーの両面４Ａ、４Ｂに絶えず密接した状態に保つので、ペーパーの減り具合に影響されることなくポケットティッシュ５をサンバイザー４に安定して保持することができ、同時に、差し込��だカード６も保持できるのである。【００２２】  バンド３を保持板１に連結する際、図４に示すように、どちらか一方の各取り付け部位に着脱自在な仮留め手段７、例えば、面ファスナー、ボタン、フック等を設けるとバンド３と保持板３の着脱が可能となり本発明のサンバイザー４への装着が容易となる。【００２３】  以上のことから、柔軟な保持板１と伸縮性を備えたバンド３を用いてリング状に形成した本発明をサンバイザー４に装着するとサンバイザー４に巻き付くようにしっかりと保持することができる。そして、保持板１の開口部２をサンバイザーの裏面４Ｂ側に配置するよう装着することにより、ポケットティッシュ５はサンバイザーの裏面４Ｂ側に保持されるので車室内に晒されることはなく、サンバイザー４使用時も保持板１がポケットティッシュ５全体を覆っているので車室内の見栄えを損なうこともない。更に、サンバイザーの表面４Ａにはカード６を差し込んで保持することもできる。【００２４】  次に、本発明の他の実施例を説明する。
図５は保持板１をサンバイザーの表面４Ａ用と裏面４Ｂ用の二つに分けた実施例を示す斜視図である。【００２５】  サンバイザーの裏面４Ｂに対応する保持板８はポケットティッシュ５を、表面４Ａに対応する保持板９はカード６をそれぞれ保持するものである。【００２６】  保持板８、９はサンバイザーの各面４Ａ、４Ｂより小さければ特に大きさや形状に拘るものではない。【００２７】  因みに、本実施例に於ける保持板８はポケットティッシュ５よりおおよそ一回り（５から３０ｍｍ程度）大きい幅と長さを有し、且つ、ほぼ中央付近に開口部２を設けたものであり、保持板９は保持板８とほぼ同じ幅でサンバイザー４のＹ方向の長さを超えない範囲で保持板８より長くしたものである。【００２８】  これにより、保持板８はポケットティッシュ５を覆う面が小さい分ポケットティッシュの開封部分と開口部２との位置合わせが容易となり、保持板９を保持板８より長くすることによりカード６をより多く保管することが可能となる。【００２９】  保持板８、９はそれぞれ伸縮性を備えたバンド１０、１１によって連結しリング状に形成するが、伸縮効果がどちらか一方のバンドで充分対応できるのであれば、他方のバンドには必ずしも伸縮性を備えた素材を用いなくても良い。【００３０】  リングの大きさは前述の実施例と同様の理由で、使用するサンバイザー４の縦方向Ｙの外周より小さくする。
【発明の効果】
【００３１】  本発明を車のサンバイザーに装着し使用すると、
イ．車に大きな衝撃力が作用しても外れたり壊れたりすることがなく搭乗者に対して安全である。
ロ．ティッシュペーパーを使用する際はサンバイザーを使用状態にすれば目で確認しなくても容易に取り出すことができる。
ハ．サンバイザーを格納した状態でも、使用している状態でもポケットティッシュが直接目に触れることがないので車室内の見栄えを損なうことはない。
ニ．カードの保管ができるので、保管場所に迷ったり、保管したカードを探す手間を省くことができる。
ホ．本発明は構造が簡単で使用する部材も少ないので安価に提供でき、社名や宣伝文等を表示すると販売促進用品としても利用できる。
【図面の簡単な説明】
【図１】本発明の実施形態を示す斜視図である。
【図２】本発明を装着したサンバイザー裏面側の正面図である。
【図３】本発明を装着したサンバイザー表面側の正面図である。
【図４】本発明の保持板とバンドに着脱手段を設けた斜視図である。
【図５】本発明の他の実施例を示す斜視図である。
【図６】従来のポケットティッシュホルダーを示す斜視図である。
【記号の説明】
１，８，９        ：保持板
２                ：開口部
３，１０、１１    ：バンド
４                ：サンバイザー
５                ：ポケットティッシュ
６                ：カード
７                ：仮留め手段
【図１】
2005075326.tif 000003
【図２】
2005075326.tif 000004
【図３】
2005075326.tif 000005
【図４】
2005075326.tif 000006
【図５】
2005075326.tif 000007
【図６】
2005075326.tif 000008